(57)【要約】      （修正有）【課題】デザイン性に優れており、且つ通気性と洗濯後の脱水性に優れたコートを提供する。【解決手段】コート１の裏地は、身頃の裾部近傍のメッシュ部３１と、袖ぐりの周囲に配置されたメッシュ部３２と、袖の中間部に配置されたメッシュ部３３と、袖口近傍に配置されているメッシュ部３４とを備えている。着用者の体幹部から発散する汗を含む空気は、袖ぐりのメッシュ部３２を通過して、裾部近傍のメッシュ部３１から外部に放出される。また着用者の腕部から発散する汗を含む空気は、袖の中間部のメッシュ部３３を通過して袖口近傍のメッシュ部３４から外部に放出される。またコート１は、水洗い後につるし干しをすることによって、裏地と表地との間に残っていた水が、身頃の裾部近傍のメッシュ部３１と袖口近傍に配置されているメッシュ部３４を通過して放出される。【選択図】図１
0003159369.tif 000002
【実用新案登録請求の範囲】
【請求項１】
表地と裏地とを備えるアウターウエアであって、
前記裏地が、通気性の高いメッシュ部（３１〜３４）と、通気性の低い裏布部（２１〜２３）とで構成されており、
前記メッシュ部（３１〜３４）が、身頃の裾部近傍と、袖ぐりの周囲の一部又は全部と、袖の中間部と、袖口近傍とに配置されていることを特徴とするアウターウエア。
【請求項２】
身頃の裾部近傍に配置された前記メッシュ部（３１）と、身頃の上部から延在する前記裏布部（２１，２２ｂ）とが重ね合わされていることを特徴とする請求項１に記載のアウターウエア。
【請求項３】
袖口近傍に配置された前記メッシュ部（３４）と、袖の上部から延在する前記裏布部（２３ｂ）とが重ね合わされていることを特徴とする請求項１に記載のアウターウエア。
【考案の詳細な説明】
【技術分野】
【０００１】
本考案は、デザイン性に優れており、且つ通気性と洗濯時の脱水性に優れたアウターウエアに関する。
【背景技術】
【０００２】
アウターウエアの一例として、防寒着として用いられるコートの構造を説明する。防寒性を有するコートは、通常、表地と裏地の２重構造となっている。コートの表地には、通気性の低い生地か、あるいは厚地でその中に空気の層が形成されるような生地が使用されることが多い。またコートの裏地には、通気性の低い柔軟な生地が使用されることが多い。表地又は裏地の少なくとも一方に通気性の低い生地を使用したコートは、コートの内側の空気と共に着用者の体温を保持することができるので、保温性に優れている。
【０００３】
一方で、上記のような通気性の低い生地を使用したコートを長時間着用した場合、体の表面から発散する汗がコートの内側にこもって内部の湿度が高くなり、着用者が不快感を覚える恐れがあった。
【０００４】
特許文献１には、防寒性を維持し、且つ通気性を得るための上着の構成が開示されている。特許文献１の上着は、裏地の袖部に空気入口部が設けられており、背中に通気口が設けられている。
【０００５】
また、防寒性を考慮する必要のない衣料品においては、通気性を重視して生地にメッシュ部を設けたものが知られている。特許文献２には、上着の前身頃、後ろ身頃、袖のそれぞれの一部を通気性の良いメッシュの織物や編み物で形成する技術が開示されている。
【先行技術文献】
【特許文献】
【０００６】
【特許文献１】特開２００３−２９３２０５号公報
【特許文献２】特開昭５７−５１８０２号公報
【考案の概要】
【考案が解決しようとする課題】
【０００７】
従来、防寒性を備えたアウターウエアは、充分な通気性を確保できない場合があった。そのために、長時間着用すると、着用感が悪くなる恐れがあった。また通気口などを設けて部分的に通気性を確保すると、多くの場合その通気口が外部から見えてしまうために、デザイン性を重視するアウターウエアには適応することが難しかった。
【０００８】
更に、従来のアウターウエアは、通気性の低い生地や、厚地でその中に空気の層が形成されるような生地が使用されることが多く、洗濯後の乾燥に時間を要することが多かった。特に、通気性の低い生地を洗濯機で洗った場合、通水性も悪いために、脱水工程でほとんど水きりができず、且つ干した場合でも裾や袖口にいつまでも水分が残るという問題があった。
【０００９】
この考案は上記従来の問題点に鑑みてなされたものであり、防寒性を維持しつつ、同時に通気性を確保し、しかもデザイン性に優れたアウターウエアを提供することを目的とする。更に本考案は、洗濯後に、速やかに脱水して乾燥させることが可能なアウターウエアを提供することを目的とする。
【課題を解決するための手段】
【００１０】
本考案は、表地と裏地とを備えるアウターウエアに関する。本考案のアウターウエアは、その裏地が、通気性の高いメッシュ部と、通気性の低い裏布部とで構成されており、メッシュ部が以下の４箇所に配置されていることを特徴とする。即ち、本考案のアウターウエアの裏地には、メッシュ部が、身頃の裾部近傍と、袖ぐりの周囲の一部又は全部と、袖の中間部と、袖口近傍とに配置されている。
【００１１】
裏地のメッシュ部が、身頃の裾部近傍と袖ぐりの周囲とに配置されていることによって、着用者の体幹部から発散する汗を含む湿度の高い空気は、袖ぐりのメッシュ部を通過して、裏地と表地との間の空間に到達し、更に、身頃の裾部近傍から外部に放出される。また裏地のメッシュ部が、袖の中間部と袖口近傍とに配置されているため、着用者の腕部から発散する汗を含む空気は、袖の中間部のメッシュ部を通過して裏地と表地との間の空間に到達し、更に、袖口近傍から外部に放出される。これにより、本考案のアウターウエアは、長時間着用した場合であっても内部に汗がこもることがなく、適度な通気性が確保されて快適な着用感を得ることができる。
【００１２】
しかも本考案のアウターウエアを水洗いした場合には、つるし干しを行うことによって、裏地と表地との間に残っていた水が身頃の裾部近傍と袖口近傍に設けられた裏地のメッシュ部を通過して除去される。このため、本考案のアウターウエアは、脱水性に優れており、洗濯後に素早く乾燥させることが可能となる。
【００１３】
尚、本考案にかかるアウターウエアとは、一般に、最も外側に着用することのできる衣類の総称であり、特に上半身に着用する衣類のことをいう。具体的には、コート、ジャンパー、ブレザー、ウインドブレーカー、カバーオール等を指す。またここでいうコートの中には、ドレスコート、カジュアルコート等の外套全般が含まれている。
【００１４】
本考案のアウターウエアは、身頃の裾部近傍に配置されたメッシュ部と、身頃の上部から延在する裏布部とが重ね合わされていることを特徴とする。裾部近傍のメッシュ部に裏地の裏布部が重ね合わされることによって、裾部近傍のメッシュ部が裏布部に隠れて目立たなくなり、より優れた外観を得ることができる。
【００１５】
また本考案のアウターウエアは、袖口近傍に配置されたメッシュ部と、袖の上部から延在する裏布部とが重ね合わされていることを特徴とする。袖口近傍のメッシュ部に裏布部が重ね合わされることによって、メッシュ部が裏布部に隠れて目立たなくなり、より優れた外観を得ることができる。またアウターウエアの袖口部は直接手首に触れることがあるが、その場合であっても、メッシュ部が肌に触れることによる違和感を軽減することができる。
【考案の効果】
【００１６】
本考案のアウターウエアは、身頃の裾部近傍と、袖ぐりの周囲の一部又は全部と、袖の中間部と、袖口近傍と、の裏地にメッシュ部が合計４箇所に配置されていることによって、着用者が発散する汗がアウターウエアの中にこもることがなく、適度な通気性が確保される。
【００１７】
本考案のアウターウエアは、通気性を確保するためのメッシュ部が全て裏地に設けられて目立たないために、デザイン性に優れている。
【００１８】
また本考案のアウターウエアは、水洗い後につるし干しを行うと、裏地と表地との間に残っていた水が身頃の裾部近傍と袖口近傍に設けられた裏地のメッシュ部を通過していくために、脱水性に優れており、洗濯後に素早く乾燥させることが可能となる。
【００１９】
さらに本考案のアウターウエアは、袖ぐりと袖の中間部にメッシュ部が形成されていることにより、着用者が種々の動作を行った場合であっても、メッシュ部が伸縮してその動作に追従するために、非常に快適な着用感を得ることができる。
【００２０】
さらにまた本考案のアウターウエアは、身頃の裾部近傍に配置されたメッシュ部と、身頃の上部から延在する裏布部とが重ね合わされていることによって、裾部近傍のメッシュ部が裏布部に隠れて目立たなくなり、より優れた外観を得ることができる。
【００２１】
さらにまた本考案のアウターウエアは、袖口近傍に配置されたメッシュ部と、袖の上部から延在する裏布部とが重ね合わされていることによって、メッシュ部が手首に触れることによる違和感を軽減して、一層快適な着用感を得ることができる。
【図面の簡単な説明】
【００２２】
【図１】本考案にかかるアウターウエアの一実施例であるコート１を示す正面図である。
【図２】図１に示すコート１のＩＩ−ＩＩ線断面図である。
【図３】図１に示すコート１のＩＩＩ−ＩＩＩ線断面図である。
【図４】コート１の後ろ身頃の裾部近傍の裏地を一部折り返した部分拡大図である。
【図５】本考案の一変形例のコート２を示す正面図である。
【図６】本考案の一変形例のジャンパー３を示す正面図である。
【考案を実施するための形態】
【００２３】
本考案の最適な実施の形態のアウターウエアは、防寒性を確保するために、表地には通気性の低い生地が用いられている。また、少なくとも身頃の一部と、袖全体に、裏地が付けられている。以下に、本考案を実施するための形態について、図面を参照しつつ実施例を挙げて詳細に説明する。
【実施例１】
【００２４】
以下に、図面を参照しつつ、本考案に係るアウターウエアの一実施例であるコート１を詳細に説明する。図１は、コート１の正面図であり、着用時に右側となる前身頃の一部を折り返して示したものである。図１において、符号１１は前身頃の表地を示し、符号１２は後ろ身頃の表地を示し、符号１３は袖の表地を示し、符号１４は見返しを示している。表地には、通気性の低い生地が用いられている。
【００２５】
コート１には、前身頃の裏地である前裏と、袖全体の裏地である袖裏と、後ろ身頃の一部の裏地である背裏とが縫い付けられている。本実施例における背裏は、後ろ身頃の上部と左右の側部の一部分とに設けられており、背抜きの状態となっている。
【００２６】
裏地は、通気性の高いメッシュ部と、通気性の低い裏布部とが縫合されて構成されている。本実施例において、メッシュ部はポリエステル又はポリウレタンを含む網目状繊維で形成されており、裏布部はポリエステルを含む薄手の布地で形成されている。
【００２７】
図１において、符号２１は前裏の裏布部を示し、符号２２は背裏の裏布部を示し、符号２３は袖裏の裏布部を示している。背裏の裏布部２２は、後ろ身頃上部に配置された裏布部２２ａと、後ろ身頃の左右の側部に配置された裏布部２２ｂとで構成されている。袖裏の裏布部２３は、袖の肘部分よりも上部に配置された裏布部２３ａと、袖の肘部分よりも下部に配置された裏布部２３ｂとで構成されている。
【００２８】
図１において、符号３１は、前身頃と後ろ身頃の裾部近傍に配置されたメッシュ部を示し、符号３２は後ろ身頃上部の袖ぐりの周囲に配置されたメッシュ部を示し、符号３３は肘の位置に相当する袖の中間部に配置されたメッシュ部を示し、符号３４は袖口近傍の全周に亘って配置されたメッシュ部を示している。
【００２９】
コート１の裏地の構成について、更に詳細に説明する。前裏は、裏布部２１の裾部にメッシュ部３１が縫合されて形成されている。背裏の左右の側部は、裏布部２２ｂの裾部近傍にメッシュ部３１が縫合されて形成されている。前裏のメッシュ部３１と背裏の左右の側部のメッシュ部３１とは、同一の幅を備えており、且つ前裏と背裏とが脇で縫い合わされた時に裾からの距離が同一になるように、裾の近傍に配置されている。
【００３０】
後ろ身頃の左右の袖ぐりの上部に沿って、縦長にメッシュ部３２が配置されている。メッシュ部３２は後ろ身頃の中央部に配置された裏布部２２ａと縫合されて、背裏の上部を形成する。またメッシュ部３２は裏布部２２ｂと縫合されており、背裏は一体化している。
【００３１】
袖裏は、中間部に配置されたメッシュ部３３の上端が裏布部２３ａの下端と縫合されており、メッシュ部３３の下端が裏布部２３ａの上端と縫合されている。またメッシュ部３４の上端と裏布部２３ａの下端とが縫合されている。
【００３２】
着用者の体幹部から発散する汗を含む湿度の高い空気は、後ろ身頃の袖ぐりの周囲に設けられたメッシュ部３２を通過して、裏地と表地との間の空間に到達することができる。更に、裏地と表地との間の湿度の高い空気は、身頃の裾部に設けられたメッシュ部３１から外部に放出される。また着用者の腕部から発散する汗を含む空気は、袖の中間部のメッシュ部３３を通過し、裏地と表地との間の空間に到達し、更に袖口近傍のメッシュ部３４から外部に放出される。これにより本実施例のコート１は、長時間着用した場合であっても内部に汗がこもることがなく、適度な通気性が確保されて快適な着用感を得ることができる。
【００３３】
本実施例のコート１は水洗い後の脱水性に優れている。洗濯後のコート１をつるし干しにすると、身頃の裏地と表地との間に残っていた水は、メッシュ部３１を通過して、速やかに放出される。また袖の裏地と表地との間に残っていた水は、メッシュ部３４を通過して、速やかに放出される。このように、本実施例のコート１は、身頃も袖も脱水性に優れており、洗濯後に素早く乾燥させることが可能となる。
【００３４】
本実施例のコート１は、袖ぐりの周囲に配置されるメッシュ部３２と、肘に対応する袖中間部に配置されるメッシュ部３３が、伸縮性に富んだ網目状繊維によって形成されており、着用者が種々の動作を行った場合であっても、メッシュ部３２，３３が伸縮してその動作に追従するために、非常に快適な着用感を得ることができる。
【００３５】
図２は、本実施例のコート１の後ろ身頃の裾周辺の裏地のＩＩ−ＩＩ線の断面図である。図３は、コート１の袖の裏地のＩＩＩ−ＩＩＩ線の断面図である。図４は、コート１の後ろ身頃の裾部近傍の裏布部２１を一部折り返した図である。
【００３６】
前裏の裾部近傍に配置されたメッシュ部３１の下端部は、前身頃の表地１１と、その裾の折り返し部分との間に挟み込まれて縫い込まれている。また図２に示すように、背裏の裾部近傍に配置されたメッシュ部３１の下端部は、後ろ身頃の表地１２と、その裾の折り返し部分との間に挟み込まれて縫い込まれている。また、メッシュ部３１の上端は、前身頃の裏布部２１及び後ろ身頃の裏布部２２ｂの下端部と縫い合わされており、且つ裏布部２１及び裏布部２２ｂがメッシュ部３１の上部から延在している。この結果、図４に示すように、通常は裏布部２１及び裏布部２２ｂがメッシュ部３１全体を覆うように重なっており、メッシュ部３１は裏布部２１及び裏布部２２ｂに隠れて目立つことがなく、より優れた外観を得ることができる。
【００３７】
図３に示すように、袖口近傍に配置されたメッシュ部３４の下端部は、袖の表地１３と同一の生地で形成された折り返し部１５と縫い合わされている。また、メッシュ部３４の上端は、袖下部の裏布部２３ｂの下端部と縫い合わされており、且つ裏布部２３ｂがメッシュ部３１の上部から延在している。この結果、裏布部２３ｂの下端部近傍は、メッシュ部３４を覆うように重ね合わされている。このような構成により、着用者の手首がメッシュ部３４に直接触れる機会が減じられており、着用時の違和感を軽減して、一層快適な着ごこちが提供される。
【実施例２】
【００３８】
以下に、図面を参照しつつ、本考案に係るアウターウエアの更なる実施例であるコート２を説明する。図５は、コート２の正面図であり、着用時に右側となる前身頃の一部を折り返して示したものである。実施例１と同一の構成を有するものについては、同一符号を付与して重複説明を割愛する。
【００３９】
コート２には、前身頃の裏地である前裏と、袖全体の裏地である袖裏と、後ろ身頃の裏地である背裏とが縫い付けられている。本実施例における背裏は、後ろ身頃全体に設けられている。背裏は、袖ぐりに沿って設けられたメッシュ部４２と、裏布部４１と、背裏の裾部全体に設けられたメッシュ部３１とで構成されている。メッシュ部４２の袖ぐり側は袖裏２３ａと縫合されており、メッシュ部４２の背中心側は裏布部４１と縫合されている。
【００４０】
本実施例のコート２は総裏となっており、前身頃と後ろ身頃と袖の全体に裏地が配置されているが、裾部の見返し部分を除くほぼ全周にメッシュ部３１が設けられていることで、実施例１と同等の通気性と洗濯時の脱水性を備えることができる。また、後ろ身頃の袖ぐりの全周に亘ってメッシュ部４２が設けられていることで、着用時の上半身の通気性と動作への追従性が確保されている。
【実施例３】
【００４１】
本考案に係るアウターウエアの更なる実施例であるジャンパー３を図６に示す。本実施例に示すように、外観が種々変更された場合であっても、身頃の裾部近傍と、袖ぐりの周囲と、袖の中間部と、袖口近傍の裏地に、それぞれメッシュ部３１〜３４を配置することによって、適度な通気性と脱水性が確保されたアウターウエアを提供することができる。
【００４２】
以上、実施例１〜３において本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。例えば実施例では、後ろ身頃の袖ぐりのみにメッシュ部を設ける構成について説明したが、前身頃の袖ぐりにメッシュ部を設けることも可能である。また、アウターウエアの外観や縫いしろや見返しの形状は適宜変更することが可能である。
【符号の説明】
【００４３】
１，２  コート
３      ジャンパー
１１    前身頃の表地
１２    後ろ身頃の表地
１３    袖の表地
１４    見返し
２１    前裏の裏布部
２２    背裏の裏布部
２２ａ  後ろ身頃上部に配置された裏布部
２２ｂ  後ろ身頃の左右の側部に配置された裏布部
２３    袖裏の裏布部
２３ａ  上部に配置された裏布部
２３ｂ  下部に配置された裏布部
３１    裾部近傍に配置されたメッシュ部
３２    袖ぐりの周囲に配置されたメッシュ部
３３    袖の中間部に配置されたメッシュ部
３４    袖口近傍に配置されたメッシュ部
【図１】
0003159369.tif 000003
【図２】
0003159369.tif 000004
【図３】
0003159369.tif 000005
【図４】
0003159369.tif 000006
【図５】
0003159369.tif 000007
【図６】
0003159369.tif 000008
【手続補正書】
【提出日】平成22年3月12日(2010.3.12)
【手続補正１】
【補正対象書類名】実用新案登録請求の範囲
【補正対象項目名】請求項１
【補正方法】変更
【補正の内容】
【請求項１】
表地と裏地とを備えるアウターウエアであって、
前記裏地が、通気性の高いメッシュ部と、通気性の低い裏布部とで構成されており、
前記メッシュ部が、身頃の裾部近傍と、袖ぐりの周囲の一部又は全部と、袖の中間部と、袖口近傍とに配置されていることを特徴とするアウターウエア。